(57)【要約】本発明は、眼装品、特に、ブリッジ１またはブローバー１４を含む眼鏡フレームまたは光学マスクに関する。本発明によれば、ブリッジ１またはブローバー１４は、熱成形可能な発泡体３からなる層４を有する支持部５を含み、その層４は、加熱後に着用者の解剖学的構造の１つの領域に当てて押し型をとり冷却後にその押し型を維持することによって熱で形を合わせる。好ましくは、発泡体は熱伝導度が0.040 W/m・Kより小さく、さらに好ましくは0.034 W/m・Kに等しい。さらに特に、発泡体は架橋ポリオレフィンである。一つの実施形態において、支持部５は凹形状６または凸形状７を有し、発泡体３が、その凹形状または凸形状の輪郭を描くフィルムの形状で、その形状に固定されている。【選択図】図４
2009516858.tif 000002
【特許請求の範囲】
【請求項１】
眼装品、とくにブリッジ１またはブローバー１４を含む眼鏡フレームまたは光学マスクであって、ブリッジ１またはブローバー１４が、熱成形可能な発泡体３の層４を備えた支持部５を含み、発泡体３の層４が、加熱後に着用者の解剖学的構造の１つの領域に当てて押し型をとり冷却後にその押し型を維持することによって熱で形を合わせることを特徴とするもの。
【請求項２】
発泡体３の熱伝導度が0.040 W/m・Kより小さい、好ましくは0.034 W/m・Kに等しいことを特徴とする請求項１に記載の眼装品。
【請求項３】
発泡体３が架橋ポリオレフィンであることを特徴とする請求項１または２に記載の眼装品。
【請求項４】
発泡体３の密度が20kg/m3と40kg/m3との間であること、好ましくは30 kg/m3に等しいことを特徴とする請求項３に記載の眼装品。
【請求項５】
支持部５がブリッジ１またはブローバー１４に一体になっているか、取り外し可能な方法で固定されていることを特徴とする請求項１または２に記載の眼装品。
【請求項６】
発泡体３の層４が、支持部５の凹形状６または凸形状７にぴったり合うことを特徴とする請求項５に記載の眼装品。
【請求項７】
支持部５が、弾性力で挟むことでブリッジ１またはブローバー１４とかみ合いになるようノッチ９・９１・９２を備えていることを特徴とする請求項５に記載の眼装品。
【請求項８】
支持部５が、ブリッジ１またはブローバー１４に対して固定するためのロッド１１を受けるねじ穴１３を備えていることを特徴とする請求項５に記載の眼装品。
【請求項９】
支持部５が、ロッド１２に対して固定されているプレート１４を介してブリッジ１に固定されていて、ロッド自体、穴１６を通してブリッジ１を貫通したのち弾性力で挟むことで支持部５とかみ合っていることを特徴とする請求項５に記載の眼装品。
【請求項１０】
支持部５が、パッドとして用いるための２本の脚部５３・５４を有し、それらの上に発泡体３の層４３・４４が広がっていることを特徴とする請求項５に記載の眼装品。
【発明の詳細な説明】
【技術分野】
【０００１】
本発明は、眼装品、特に眼鏡フレームまたは光学マスクに関し、さらに詳しくはブリッジまたはブローバー(brow-bar)で連結された２個のレンズを有するものに関する。
【背景技術】
【０００２】
このような眼鏡フレームは、たとえば米国特許第 5 092 666 号明細書により公知である。この文献によれば、ブリッジが、個人の鼻と額とのつながり部分に一致する解剖学的押し型をとって維持するために形を合わせる掛かり部のための支持部として使われている。この掛かり部は、シリコーンエラストマーで形成された部分を含む。眼鏡フレームを個人に対して正しい位置に掛け、ブリッジに軽く圧力をかけてシリコーンエラストマーに解剖学的押し型をとる。続いてフレームを着用者からはずし、シリコーンエラストマーに紫外線を照射して、化学的架橋反応によって解剖学的押し型を定着させる。
【０００３】
掛かり部についた解剖学的押し型によって、眼鏡フレームは、その解剖学的押し型をとった着用者に、より大きく安定する。ところが、この架橋されたシリコーンエラストマーは、非架橋状態のものと比べて硬くて透過性がないため、着用者の感じる快適度は低い。
【０００４】
米国特許第 3 597 053号明細書には、たとえばグリセリンなどの液体を充填した小さな容器、または加熱後に解剖学的押し型をとり冷却後にその押し型を維持するために熱で形を合わせる熱可塑性部材を備えた支持部を含むブリッジを有する眼鏡フレームが開示されている。熱可塑性部材は、周囲温度では硬く、加熱すると軟らかくなり、冷却後にもとの硬い状態に戻る。
【０００５】
ドイツ特許第 31 30 144号明細書には、熱変形可能で、冷却するとその変形した形に硬化する部材、エアクッション、またはフレーム着用者の鼻の形にぴったり合わせられる、たとえばゴム状の部材または発泡体などの部材を備えた支持部を含むブリッジを有する眼鏡フレームが開示されている。ゴム状の部材または発泡体などの部材の場合、眼鏡フレームを使用者がかけていないときには、ゴムまたは発泡体は変形していない平衡状態に戻る。
【発明の開示】
【発明が解決しようとする課題】
【０００６】
本発明の目的は、解剖学的押し型が硬かったり、眼鏡フレームをはずすとすぐに解剖学的押し型が失われたりする掛かり部の不都合を改善するために、上述したタイプの眼鏡フレームを修正することである。
【課題を解決するための手段】
【０００７】
そのために、本発明の対象は、眼装品、特に、ブリッジまたはブローバーを有する眼鏡フレームまたは光学マスクであって、ブリッジまたはブローバーが、発泡体の層を加熱してから着用者の解剖学的な一つの領域に当てて押し型をとり、冷却してその押し型を維持することによって熱で形を合わせる熱成形可能な発泡体の層を備えた支持部を含むことを特徴とするものである。
【０００８】
発泡体は、その層に局所的な減少をもたらす単純な収縮によって、解剖学的押し型に応じて熱により形を合わせる。これは、発泡体の機械的な吸収性を変えない物理的現象である。この結果、支持部と発泡体の層は、押し型をとった着用者に大きな安定感とともに快適な感覚を与える掛かり部を形成する。
【０００９】
発泡体は、架橋ポリオレフィンであることが好ましい。それはあらかじめ眼鏡フレームのブリッジまたはブローバーに接着されている。この場合、支持部は、ブリッジまたはブローバーと一体になっている。たとえば、プラスチック材料により形成された眼鏡フレームなどの場合である。しかし、支持部は、発泡体の層を眼鏡フレームから分離して加熱できるよう、ブリッジまたはブローバーに取り外し可能な方法で固定されていることが好ましい。支持部は、弾性的に挟んでブリッジまたはブローバーにかみ合わせるために、たとえばノッチを使ってブリッジまたはブローバーに固定されている。
【００１０】
支持部は、発泡体の層が個人の鼻と額とのつながり部分に一致する解剖学的押し型をとって維持するよう、ブリッジに一体になっているか固定されている。支持部がブローバーに一体になっているか固定されている場合、発泡体の層は個人の眉弓に一致する解剖学的押し型をとって維持することができる。
【００１１】
支持部が凹凸形状を呈し、発泡体が、たとえば一定の厚さのシートの形状でその凹凸形状にぴったり合った状態で、そこに固定されると有利である。凹形状は、個人の鼻と額とのつながり部分を垂直線に沿ってより厳密に追うことを可能にし、一方凸形状は、そとつながり部分を水平線に沿ってより厳密に追うことを可能にする。このようにして支持部は、押し型を採取するときに発泡体の変形がより均一に分配されることを可能にするうえ、快適な感覚を増大させるのに寄与する。
【００１２】
その他の利点は、図面に示された５つの実施形態の記載に照らして、明らかにする。
【発明を実施するための最良の形態】
【００１３】
図１は、フレームのブリッジが１本の小さい棒状体である第１実施形態による眼鏡フレームの斜視図である。
【００１４】
図２は、図１に示されたフレームの１本の小さい棒状体の形をしたブリッジに固定するための、発泡体の層の支持部を示す断面図である。
【００１５】
図３は、２本の小さい棒状体の形をしたブリッジに固定するための、発泡体の層の別の支持部を示す断面図である。
【００１６】
図４は、発泡体の層の支持部が水平面で凹形状を有し、垂直面で凸形状を有する点で、図１に示されたフレームとは異なる眼鏡フレームの斜視図である。
【００１７】
図５は、図４に示された発泡体の層の支持部の断面図である。
【００１８】
図６は、図１に示されたフレームのブリッジにねじで固定するための、発泡体の層の別の支持部を示す断面図である。
【００１９】
図７は、発泡体の層の支持部がフレームのブリッジに一体になっている、第２実施形態による眼鏡フレームの斜視図である。
【００２０】
図８は、２個のレンズと、本発明の第３実施形態にしたがって、発泡体の層の支持部が固定されるブリッジとを形成している１片の部材からなる光学マスク、たとえば太陽光線マスクの概略図である。
【００２１】
図９は、発泡体の層の支持部が眼鏡フレームのブローバーに固定されている第４実施形態による眼鏡フレームの平面図を示す。
【００２２】
図１０は、図９に示された眼鏡フレームの斜視図である。
【００２３】
図１１は、発泡体の層の支持部が、パッドとして用いられる２本の脚部を含む、第５実施形態による眼鏡フレームの斜視図である。
【００２４】
図１〜図７については、眼鏡フレームは、フレームの２つのレンズ１５を互いに連結するブリッジ１を含む。
【００２５】
本発明によれば、ブリッジ１は、個人の鼻と額とのつながり部分に一致する解剖学的押し型を、加熱後に採取して冷却後に維持するために、熱で形を合わせる発泡体３の層を固定する支持部５を含む。
【００２６】
本発明の第１実施形態（図１〜図６）において、支持部５は、個人の鼻と額とのつながり部分を垂直線に沿ってより厳密に追従するように凸形状７を備えている。発泡体３の層は、凸形状７にぴったり合った状態で支持部５に固定されたシートで構成されている。この配置によって、解剖学的押し型をとるときに、発泡体の変形が凸形状に沿ってより均一に分配されることになる。発泡体のシートの代わりに、支持部の凸形状に分配された発泡体の粒々でもよい。
【００２７】
あらかじめ支持部５には、解剖学的押し型をとる着用者の鼻と額とのつながり部分を水平線に沿ってより厳密に追従するように、凹形状６を設けている。図４に示すように、やはりあらかじめ、凹形状６と凸形状７を同一の支持部に組み合わせている。
【００２８】
支持部５と発泡体３の層とからなる掛かり部１０は、ブリッジの１本の小さい棒状体を弾性力で挟むノッチ９（図２）を介して眼鏡フレームのブリッジ１に固定されている。複数のノッチ９１，９２（図３）は、２本の小さい棒状体の形のブリッジに支持部５を固定できるよう、または１本の小さい棒状体からなるブリッジに対して支持部５の垂直位置を調整できるよう設けられている。図６は、支持部５を眼鏡フレームのブリッジに固定する別の形態を示すもので、ブリッジ１に溶接されていて、支持部５がねじ穴１３においてねじ止めされるロッド１１を使用している。
【００２９】
本発明の第２実施形態（図７）は、プラスチック素材の眼鏡フレームに関する。ここで、支持部５は、ブリッジ１と一体になっている。プラスチック材料の注入によって眼鏡フレームを製造する時、支持部５は、たとえば注型に凹型の修正をすることにより形成される。
【００３０】
本発明の第３実施形態（図８）は、ブリッジ１で連結された２個のレンズ１５を形成する一片の部材１７からなる光学マスク、たとえば太陽光線マスクに関する。一片の部材１７は、たとえばポリカーボネートやポリアミドなどの有機材料で作られている。支持部５は、２本のロッド１２に対して固定されているプレート１４を介してブリッジ１に固定されていて、それらは、一片の部材１７のブリッジ１を２個の穴１６を介して貫通したのち、弾性力で挟むことで、たとえばクリップで、支持部５と連結している。
【００３１】
第４実施形態（図９・図１０）において、支持部５は、眼鏡フレームのブローバー１４に固定されている。固定は、たとえば、ブローバーに形成されたびょう１６を支持部５に形成されたノッチ１８に挿入することによりなされる。より詳細に図示した実施形態において、支持部は中間部材５１と、中間部材の両側に配置された２つの横部材５０・５２とを有する。第１の発泡体３の層は、図４に関して上で述べたように、眼鏡フレームの着用者の、鼻と額とのつながり部分に一致する解剖学的押し型をとって維持するために、中間部材５１の凹形状と凸形状に同時にぴったり合っている。２つの横部材５０・５２は、着用者の眉弓に一致する解剖学的押し型をとって維持するために、発泡体３の層をそれぞれ有する。この第４の実施形態は、眼鏡フレームを頭の後方に向けて引っ張って着用する場合に特に利点がある。というのも、このような眼鏡フレームは、着用者の鼻額骨の角だけでなく眉弓にも支えられるからである。圧力が、より広い面積に分散されるので小さくなり、長時間の着用がより快適になる。
【００３２】
この実施形態は、多くの矯正用眼鏡フレームのように、表面が硬い眼鏡フレームに適用すると有利なことに注目すべきである。この場合、熱成形可能な発泡体により、眼鏡フレームは着用者の解剖学的構造を、額から鼻にかけての角度および眉弓の両方について採取可能になり、衝撃をより吸収することができる。
【００３３】
図１１に示される第５実施形態において、支持部５は、パッドとして用いるための２本の脚部５３・５４を有し、それらの上に発泡体３の層４３・４４が広がっている。支持部５は、第４実施形態についての記述と同様の方法で、ブローバー１４に固定されている。
【００３４】
熱成形可能な発泡体は、クローズドセル構造の架橋ポリオレフィンであることが好ましい。発泡体の密度は、約30 kg/m3である。しかし、20 kg/m3から40 kg/m3の間でもよい。直接眼鏡フレームのブリッジに、または特定の形状をもった支持部に固定する前に、抗アレルギー処理および抗菌処理をそれに施している。固定は、たとえば支持部が高密度ポリエチレンの場合は単に加熱により、または熱活性接着剤を使って接着することによりなされる。
【００３５】
解剖学的押し型は、眼鏡技師が採取する。眼鏡技師は、発泡体の層の温度が１００〜１１０℃の範囲に達するように、支持部を予熱する。加熱時間は約２分間で、従来の温風ヒーターを用いて徐々に行う。眼鏡技師は、指を発泡体の層に押し当てて、指でつけられた形が正しくとれることを確認することによって、正しい温度であることを確かめる。
【００３６】
注目すべきは、発泡体の層を備えた支持部が、取り外し可能な方法でブリッジまたはブローバーに固定されているので、眼鏡技師が眼鏡フレームからはずして加熱できることである。したがって、加熱中にレンズを破損する危険が小さくなる。その後、押し型をとるために、支持部をブリッジまたはブローバーに再び固定する。
【００３７】
眼鏡フレームを着用者に正しくかけ、眼鏡技師が約２〜５ kgの圧力をフレームのブリッジに加える。いくつかの方法が考えられる。たとえば、着用者の頭に巻いて、所望の圧力がかかるように十分にピンと張った弾性バンドでフレームを後方に引っ張ってもよい。また、眼鏡技師が、着用者の頭の後ろをヘッドレストにもたせかけ、所望の圧力を自分でかけてもよい。
【００３８】
押し型の採取にかかる時間は約１分である。熱成形可能な発泡体は、一度冷やされると、着用者の解剖学的押し型を維持する。
【００３９】
注目すべきは、本発明により使用される熱成形可能な発泡体は、断熱性が優れていて、熱伝導度が好ましくは0.040 W/m・Kより小さく、より好ましくは0.034 W/m・Kに等しく、したがって触れても温度の上昇が知覚できないことである。必要があれば、眼鏡技師は着用者の顔を、個人の鼻と額とのつながり部分にぴったり合うよう十分に薄い断熱性のフェルトを使って保護してもよい。たとえば、厚さ１〜２ mmで、面密度が約200 g/m2のポリエステルのフェルトを使うことができる。
【００４０】
本発明による眼鏡フレームまたは光学マスクは、着用者の解剖学的構造に関係なく、より大きな安定性とともによりよい快適さを提供する。特に、スポーツをするときに大いに適している。フレームを紛失するあらゆる危険を避けるために、着用者は、つるに取り付けるとともに頭部に回した弾性力のあるひもを使って、フレームを留めておいてもよい。弾性力のあるひもによって眼鏡フレームにかかる力は、不快感をもたらすものではなく、反対に、発泡体の層によって着用者の解剖学的構造に形が合わせてある掛かり部全体に分配される。そのうえ、発泡体の層は、眼鏡フレームへの衝撃の場合に、顔を傷つける危険を減らす。
【図面の簡単な説明】
【００４１】
【図１】フレームのブリッジが１本の小さい棒状体である第１実施形態による眼鏡フレームの斜視図である。
【図２】図１に示されたフレームの１本の小さい棒状体の形をしたブリッジに固定するための、発泡体の層の支持部を示す断面図である。
【図３】２本の小さい棒状体の形をしたブリッジに固定するための、発泡体の層の別の支持部を示す断面図である。
【図４】発泡体の層の支持部が水平面で凹形状を有し、垂直面で凸形状を有する点で、図１に示されたフレームとは異なる眼鏡フレームの斜視図である。
【図５】図４に示された発泡体の層の支持部の断面図である。
【図６】図１に示されたフレームのブリッジにねじで固定するための、発泡体の層の別の支持部を示す断面図である。
【図７】発泡体の層の支持部がフレームのブリッジに一体になっている、第２実施形態による眼鏡フレームの斜視図である。
【図８】２個のレンズと、本発明の第３実施形態にしたがって、発泡体の層の支持部が固定されるブリッジとを形成している１片の部材からなる光学マスク、たとえば太陽光線マスクの概略図である。
【図９】発泡体の層の支持部が眼鏡フレームのブローバーに固定されている第４実施形態による眼鏡フレームを上方からみた図を示す。
【図１０】図９に示された眼鏡フレームの斜視図である。
【図１１】発泡体の層の支持部が、パッドとして用いられる２本の脚部を含む、第５実施形態による眼鏡フレームの斜視図である。
【符号の説明】
【００４２】
１    ブリッジ
３    発泡体
５    支持部
６    凹形状
７    凸形状
９・９１・９２    ノッチ
１０  掛かり部
１２  ロッド
１３  ねじ穴
１４  ブローバー
１５  レンズ
１６  びょう
１７  部材
４３・４４  層
５０・５２  横部材
５１  中間部材
５３・５４  脚部
【図１】
2009516858.tif 000003
【図２】
2009516858.tif 000004
【図３】
2009516858.tif 000005
【図４】
2009516858.tif 000006
【図５】
2009516858.tif 000007
【図６】
2009516858.tif 000008
【図７】
2009516858.tif 000009
【図８】
2009516858.tif 000010
【図９】
2009516858.tif 000011
【図１０】
2009516858.tif 000012
【図１１】
2009516858.tif 000013
【国際調査報告】
2009516858.tif 000014
2009516858.tif 000015
2009516858.tif 000016
2009516858.tif 000017
2009516858.tif 000018
2009516858.tif 000019